(57)【特許請求の範囲】
【請求項１】
周面に矯正用ブラケット（１）を付着させた歯形模型（２）の周面を被覆することにより型取りしたゴム系又は樹脂系の弾力性を備えた成形材よりなるコア（６）を、内面側を構成する一次コア（６ａ）と、該一次コア（６ａ）に被覆重層されて外周面側を構成する二次コア（６ｂ）とで形成したコアにおいて、上記一次コア（６ａ）の成形材として比較的軟質な二液混合型のシリコーン印象材を用い、該一次コア（６ａ）の固化前に比較的硬質な二液混合型のシリコーン印象材よりなる二次コア（６ｂ）の成形材を被覆形成することにより、一次コア（６ａ）と二次コア（６ｂ）とを重層断面部において付着させて一体的に固着させてなる歯科矯正に用いられるブラケット取付用コア。
【請求項２】
一次コア（６ａ）の成形材が、ブラケット取付対象部位に固着状態のブラケット（１）を残してコアを脱型剥離した際に、一次コア（６ａ）の内周面が破損しない程度の伸縮性のある弾力性を備えた材質である請求項１の歯科矯正に用いられるブラケット取付用コア。
【請求項３】
一次コア（６ａ）と二次コア（６ｂ）の成形材を共に透明な材料とした請求項１又は２の歯科矯正に用いられるブラケット取付用コア。
【発明の詳細な説明】
【０００１】
【発明の属する技術分野】
この発明は歯科矯正治療に用いるブラケット取付用のコアに関する。
【０００２】
【従来の技術】
従来歯科矯正治療は一般に下顎側、上顎側の歯列の全体の又は対象となる一部分の歯の表面（又は裏面）にブラケットと称するワイヤ係止部材を接着固定し、各ブラケットに順次ワイヤを係止して左右又は上下方向の外力を加えて歯列の矯正を行う方法が知られている。
【０００３】
そして上記ブラケットを歯列内の歯の最適位置に接着固定する方法としてアメリカ特許第４５０１５５４号明細書及び図面に示されるようなインダイレクトボンディングシステム（ＩＤＢＳ）と称される方法が知られている。この方法は例えば図２，図３に示されるように、予め患者の歯形より型取り成形された歯形模型２（但し、図２では下顎模型のみを、図３，図４では上顎模型のみをそれぞれ図示する）の模型歯３周面の最適位置にブラケット１を仮付固定した後、熱可塑性樹脂を用いて模型歯３の上面や背面にオクルーザルストッパ４を付着形成する。
【０００４】
上記オクルーザルストッパ４は、次に述べるコア６内部の印象材が軟質であるために、コア６を押圧して実際の歯列にブラケット１を本付けする場合の圧力むらを防ぎ、ブラケットのポジショニングの精度を高める目的をもつほか、後述する二次コア成形時の熱可塑性樹脂プレートのバキューム吸引時に、歯列間の凹凸や隙間に軟質印象材が奥深く入り込むことによるコアの脱型難等のトラブルを防止する目的がある。
【０００５】
上記オクルーザルストッパ４の付着形成後、シリコンゴム系の軟質材よりなる印象材を歯形模型２の歯列部分に被覆させ、手作業によって整形した後、約６０分位かけて冷却固化させて一次コア６ａの成形を完了する。
【０００６】
上記一次コア成形完了後、加熱軟化された塩化ビニール製等の熱可塑性樹脂からなる硬化プレートを歯形模型２上に被せて、下面側からバキューム吸引することにより、硬化プレートを外周面に吸着被覆させた後、上記硬化プレートの余分なスペース部分を切り取ることにより、二次コア６ｂを形成、冷却固化させてコア６の外形を概ね整える。
【０００７】
次いで上記コア６内にブラケット１を残存させた状態で歯形模型２より脱型して、表面の後処理をすることによってコア６の製作を完了する。
【０００８】
実際の口腔内における歯列のブラケット１のボンディングは、コア６内に残された各ブラケット１と、歯列のブラケット接着面とにそれぞれ接着剤を塗布し、コア６を歯列に被着した後、外部より押圧してブラケット１を歯列内の各歯に接着固定し、全ブラケット接着完了後二次コア、一次コアの順に各コアを別に剥離を進め、歯面の後処理を行ってボンディング作業を完了する。ボンディング完了後、図２の歯形模型２に仮想線で示す状態で各ブラケット間をワイヤ７で連係係止せしめることによって矯正治療を行うものである。
【０００９】
【発明が解決しようとする課題】
しかし上述した従来のボンディング作業に用いるコアは、一次コアとして歯面に適合し易い軟質の印象材を用い、二次コアにはブラケットボンディングの際のポジショニングの精度を保持するために、「型」治具としてのコアの外層の一定の剛性を保持すべく塩ビ等の比較的硬質の熱可塑性樹脂を用い、しかも軟化した樹脂プレートを真空吸引によって、成形固化後の一次コア外周に吸着被覆させる方法が採用されていた。
【００１０】
このため二次コア形成前に一次コアを完全に固化させるための時間を長時間（６０分程度）必要とするとともに、二次コア形成のための吸引形成作業やその為の器具を必要とするほか、ボンディング終了後のコア剥離（脱型）時に一次コアは殆ど破（裂）損するほか、一次コアと二次コアが別体であるために、治療中のブラケット外れ等に際して行われるブラケットの再接着（リボンディング）は手作業による接着か、再度当該部分のコアを作り直す必要がある等の欠点があった。そしてこのような再接着はポジショニングの狂いを生じさせる原因にもなっている。
【００１１】
【課題を解決するための手段】
この発明は上記の問題点を解消するためのコアを提供せんとするもので、第１に周面に矯正用ブラケット１を付着させた歯形模型２の周面を被覆することにより型取りしたゴム系又は樹脂系の弾力性を備えた成形材よりなるコア６を、内面側を構成する一次コア６ａと、該一次コア６ａに被覆重層されて外周面側を構成する二次コア６ｂとで形成したコアにおいて、上記一次コア６ａの成形材として比較的軟質な二液混合型のシリコーン印象材を用い、該一次コア６ａの固化前に比較的硬質な二液混合型のシリコーン印象材よりなる二次コア６ｂの成形材を被覆形成することにより、一次コア６ａと二次コア６ｂとを重層断面部において付着させて一体的に固着させてなることを特徴としている。
【００１２】
第２に、一次コア６ａの成形材が、ブラケット取付対象部位に固着状態のブラケット１を残してコアを脱型剥離した際に、一次コア６ａの内周面が破損しない程度の伸縮性のある弾力性を備えた材質であることを特徴としている。
【００１３】
第３に一次コア６ａと二次コア６ｂの成形材を共に透明な材料としたことを特徴としている。
【００１４】
【発明の実施の形態】
図１は本発明によるコアの製造工程とその構造を示す説明図で、この例では同図（Ａ）に示す（上顎側の）歯形模型２に対するブラケット１の仮接着、同図（Ｂ）の一次コア６ａの付着による被覆形成迄は、ブラケット仮付前のオクルーザルストッパの付着形成を行わない点を除いては、前述した従来の製法と共通するもので、共通部分の説明は割愛する。
【００１５】
一次コア６ａの使用成形材料は比較的軟質で透明のシリコーン印象材（ビニルポリジメチルシロキサンが主材）で、ブラケットボンディング後のコア６の剥離に際し、破損・裂傷しない程度の柔軟性、弾力性を備えたアールデンタル社（ドイツ）の「ピューマソフト」（ショア硬度３５）を用いた。その他ドレーブデータミット社（ドイツ）製のシリコーン印象材（ビニルポリジメチルシロキサンが主材）「オドントシル４０」（ショア硬度４８）及び株式会社松風製「エミルマ」の使用も可能である。
【００１６】
いずれも二液混合型のものを、公知の混合注出器（図示しない）より噴出させ、指先で成型し一定時間（１０〜２０分）経過させて半固化状態迄固化させ（完全な固化をさせる必要はない）た後、図１（Ｃ）に示すようにその外周面より上記同様に二液混合注出器（図示しない）で噴出させ、二次コア成形材を被覆付着させて上記同様指先で二次コア６ｂを形成、固化させる。
【００１７】
なお上記のように、二次コア材をバキューム吸引によって被着形成することなく、二次コアを人手により指先で被着形成することが可能となったのは、一次コアの印象材と二次コアの材料が互いに付着性のある材質を用いたために、一次、二次の両コアが一体的に付着（接着）形成され、従来のように熱可塑性樹脂を加熱して外周から抱着状態にして一次コア６ａを二次コア６ｂによる固定を行う必要がなくなったことによるものである。
【００１８】
さらに従来のように、一次コア６ａの形成前に比較的硬質な熱可塑性樹脂によってオクルーザルストッパ４を必ずしも形成する必要がないのも、バキューム吸引によって二次コア６ｂを被着しないので、比較的軟質な一次コア用材料が、二次コア材の強力な押圧被覆で、歯形模型２の表面凹部に食い込むことによる取り外し（脱型）難を生じることがなくなったためである。
【００１９】
上記二次コアの成形材としては、透明で比較的硬質のシリコーンゴム系の印象材で、ドレーブデンタミット社（ドイツ）製の「オドントシル６０」（ショア硬度６８）又はヘラウスデンタル株式会社製「メモジルＣＤ」（ショア硬度８０）等の使用が可能であり、いずれもビニルポリジメチルシロキサンを主材とし、前述した一次コア成形材と同系の材質であることが望ましい。
【００２０】
このように一次コアと同系の成形材を用い、一次成形材の固化前に二次コア成形材を重層被覆して付着させることにより、図１（Ｄ）に示すように一次コアと二次コア両者の重層断面内において一体的な接着が促進される。
【００２１】
上記のように形成されたコア６は前述した従来の方法と同様な方法によって、実際の口腔内におけるボンディング作業を行うが、この時二次コアは一定の弾力性は有するものの比較的硬質であるために、前述したオクルーザルストッパ４を必ずしも必要としない。但し、オクルーザルストッパの使用に馴れている術者が、従来通りこれを設けることは差し支えなく、この場合次のコア除去時にはオクルーザルストッパもコア内に残されたままの状態で剥離される。
【００２２】
上記ボンディングによりブラケット１を歯周面に付着させた後は、ブラケット１を歯側に残した状態でコア全体をめくり状態で剥ぎ取る（脱型する）が、この時一次コアと二次コアは、分離することなく一体に（オクルーザルストッパを設けた時はこれも一体に）剥離除去され、図１（Ｅ）に示すようにリボンディング時には、コア６の必要部分のみを切り離して再度ブラケット１のみをコア内面の凹部に嵌合保持させて、最初のボンディングと同様な要領によりボンディングを行うことができる。
【００２３】
【発明の効果】
以上のように構成される本発明によれば、一次コアの固化が短縮されるとともに、二次コアの成形にプレートやバキューム装置の利用、加熱装置の利用等が必要なくなり、オクルーザルストッパも必ずしも必要でなくなるために全体の製造時間の短縮化、コストダウン等の実現ができる。
【００２４】
二次コア形成時に二次コア材の加熱後の余熱によるオクルーザルストッパや、接着剤溢出路形成用に付着させることがあるラインワックス等の変形を生じることもなく、またこれらの変形防止のための冷却も必要ない。
【００２５】
また一次コア、二次コアが一体なので、コア取り外し時の一次コアと二次コアの分離や一次コア材の裂損がなく、ブラケットのリボンディングに最初のコアを再利用できる等の効果がある。
【図面の簡単な説明】
【図１】  本発明のコアの製造方法と構成を示す作業説明図である。
【図２】  従来のコアの製造方法及び構成を示す分割斜視図である。
【図３】  従来のコアの拡大断面図である。
【図４】  ブラケットの仮付状態を示す部分斜視図である。
【符号の説明】
１    ブラケット
２    歯形模型
３    模型歯
４    オクルーザルストッパ
６    コア
６ａ  一次コア
６ｂ  二次コア
【図１】
0003668660.tif 000002
【図２】
0003668660.tif 000003
【図３】
0003668660.tif 000004
【図４】
0003668660.tif 000005